(57)【要約】【課題】給水流路内のフィルタ部の掃除が容易でフィルタの付け忘れを防止すること。【解決手段】運転開始時に、継手１０１の有無を検知する継手検知手段３２が継手１０１を検知した時だけ、給水電磁弁２００による給水動作を行なう構成とすることにより、水道から給水される水は、必ず継手１０１内の継手フィルタ１０４を通過することになるので、異物が確実に捕集されると共に、継手１０１は取り外し可能であるので、給水流路内のフィルタ部の掃除が容易である。かつ、継手１０１が取り付けられていないと、給水動作を行うことができないために、フィルタの付け忘れによる給水電磁弁２００の止水不良や動作不良を防止することができる。【選択図】図２
2017158674.tif 000002
【特許請求の範囲】
【請求項１】
洗濯機本体と、
前記洗濯機本体に防振支持された水槽と、
前記水槽に回転自在に内包された洗濯兼脱水槽と、
前記洗濯兼脱水槽を回転駆動するモータと、
前記本体上部に設けられた上部枠体と、
運転終了時や異常発生時などに報知する報知手段と、
前記上部枠体後部に設けられ水道蛇口と給水ホースで接続して前記水槽内に給水する給水電磁弁と、
前記給水電磁弁と前記給水ホースとの間に螺合接続される継手と、
前記継手に内設された異物捕集用の継手フィルタと、
前記継手の有無を検知する継手検知手段と、
前記モータ、給水電磁弁等を制御し、洗い、すすぎ、脱水などの一連の行程を逐次制御する制御手段とを備え、
前記制御手段は、運転開始時に、前記継手検知手段が前記継手を検知したときのみ、前記給水電磁弁を制御して給水工程を行う洗濯機。
【請求項２】
前記制御手段は、運転開始時に継手検知手段が継手を検知しない場合、報知手段を制御して異常を報知する請求項１に記載の洗濯機。
【発明の詳細な説明】
【技術分野】
【０００１】
本発明は、洗い、すすぎ、脱水行程を行う洗濯機に関するものである。
【背景技術】
【０００２】
従来、この種の洗濯機は、給水を自動で行うための給水電磁弁を有しており、水道管から出た鉄錆等の異物を捕集するため、給水電磁弁を含めた給水経路内にフィルタを設ける構成が提案されてきた（例えば、特許文献１参照）。
【０００３】
図３は、特許文献１に記載された従来の洗濯機の給水電磁弁３１６の断面図である。以下に、図３を用いて給水電磁弁３１６について説明する。
【０００４】
図３において、給水電磁弁３１６の上流部には、給水口３０１、孔３０３を有するフロコン３０２、及びフロコン３０２を収納するフロコンケース３０４が設けられている。また、フロコンケース３０４の上流側には、第１の給水フィルタ３０５が配設されており、フロコンケース３０４の下流側に第２の給水フィルタ３０６が配設されている。
【０００５】
第１の給水フィルタ３０５、フロコンケース３０４、及び第２の給水フィルタ３０６は、着脱可能となっている。
【０００６】
また、給水弁３１６の内部には、給水された水の流入を調整する膜であるダイヤフラム３１０が、ダイヤフラム受３１５と係合した状態で配設されている。
【０００７】
また、ダイヤフラム３１０の矢印Ｂ方向には、ダイヤフラム３１０を開閉する鉄製のプランジャ３０８が配設されている。プランジャ３０８の周囲には、プランジャ３０８を矢印Ｂ方向に移動させるコイル３０７が巻かれており、プランジャ３０８を図３中の矢印Ａ方向へ付勢する押しバネ３０９が配設されている。
【０００８】
ダイヤフラム３１０の上流側には、背面室３１２が形成されている。また、ダイヤフラム３１０及びダイヤフラム受３１５を貫通する給水孔３１４が形成され、給水口３０１から給水された水は、給水孔３１４から背面室３１２に流入する。
【０００９】
ダイヤフラム３１０の下流には吐出口３１１が形成されている。また、ダイヤフラム３１０及びダイヤフラム受３１５の一部には排水孔３１３が形成されており、排水孔３１３によって、吐出口３１１と背面室３１２が連通している。
【００１０】
以上の構成により、従来技術の給水電磁弁の動作を以下に説明する。
【００１１】
蛇口から給水された水は、給水ホース（図示せず）を介して給水口３０１に流入する。給水口３０１に流入した水は、第１の給水フィルタ３０５、フロコンケース３０４、第２の給水フィルタ３０６を通過し、給水孔３１４から背面室３１２に流入する。
【００１２】
コイル３０７に電流が流れていない場合、プランジャ３０８は押しバネ３０９により図３中の矢印Ａ方向に付勢され、プランジャ３０８によってダイヤフラム受３１５の排水孔３１３を塞いでいる。また、給水された水は背面室３１２に溜まることで、背面室３１２内の水圧が上昇するため、ダイヤフラム３１０に対する矢印Ａの方向への圧力が増大する。そのため、給水された水が吐出口３１１へ流入することを防止する。
【００１３】
コイル３０７に電流が流れると、発生する磁界により、プランジャ３０８は押しバネ３０９に抗して図３中の矢印Ｂ方向へ移動する。プランジャ３０８が矢印Ｂへ移動することにより、排水孔３１３が開放されるため、背面室３１２内の水は排水孔３１３から吐出口３１１へ流れる。また、背面室３１２の水圧の低下により、ダイヤフラム３１０は、矢印Ｂ方向へ移動する。このため、給水口３０１から給水された水は、吐出口３１１から水槽内に流入する。
【００１４】
洗濯機を繰り返し使用すると、第１の給水フィルタ３０５、第２の給水フィルタ３０６には、鉄屑等の汚れが付着する。そのため、定期的に給水電磁弁３１６から第１の給水フィルタ３０５及び第２の給水フィルタ３０６を取り外し、掃除をする必要がある。
【先行技術文献】
【特許文献】
【００１５】
【特許文献１】特開平２−２６６１８０号公報
【発明の概要】
【発明が解決しようとする課題】
【００１６】
しかしながら、前記従来の構成では、給水フィルタを掃除後、給水フィルタの付け忘れが想定され得る。給水フィルタの付け忘れにより、給水時に鉄屑等の汚れが濾過されることなく、そのまま洗濯機本体内に流入し、洗濯物等に汚れが付着する問題が生じ得る。また、水道管の品質や水質が悪く、水中に異物が多い場合には、頻繁に給水弁のフィルタ掃除が必要となるため、給水フィルタを付け忘れる問題が顕著となる。
【００１７】
本発明は、上記従来の課題を解決するもので、給水フィルタの付け忘れを抑制し得る洗濯機を提供する。
【課題を解決するための手段】
【００１８】
上記目的を達成するために、本発明の洗濯機は、洗濯機本体と、前記洗濯機本体に防振支持された水槽と、前記水槽に回転自在に内包された洗濯兼脱水槽と、前記洗濯兼脱水槽を回転駆動するモータと、前記本体上部に設けられた上部枠体と、運転終了時や異常発生時などに報知する報知手段と、前記上部枠体後部に設けられ水道蛇口と給水ホースで接続して前記水槽内に給水する給水電磁弁と、前記給水電磁弁と前記給水ホースとの間に螺合接続される継手と、前記継手に内設された異物捕集用の継手フィルタと、前記継手の有無を検知する継手検知手段と、前記モータ、給水電磁弁等を制御し、洗い、すすぎ、脱水などの一連の工程を逐次制御する制御手段とを備え、前記制御手段は、運転開始時に、前記継手検知手段が前記継手を検知したときのみ、前記給水電磁弁を制御して給水工程を行う構成としたものである。
【００１９】
これによって、給水流路内のフィルタ部の掃除後、フィルタ部の付け忘れを抑制し、利便性の向上した洗濯機を提供することができる。
【発明の効果】
【００２０】
本発明の洗濯機は、給水流路の異物捕集用のフィルタ部の掃除後、フィルタ部の付け忘れを抑制することができる。
【図面の簡単な説明】
【００２１】
【図１】本発明の実施の形態における洗濯機の縦断面図
【図２】同洗濯機の給水ホースと給水電磁弁の接続部の分解断面図
【図３】従来の洗濯機の給水電磁弁の断面図
【発明を実施するための形態】
【００２２】
第１の発明は、洗濯機本体と、前記洗濯機本体に防振支持された水槽と、前記水槽に回転自在に内包された洗濯兼脱水槽と、前記洗濯兼脱水槽を回転駆動するモータと、前記本体上部に設けられた上部枠体と、運転終了時や異常発生時などに報知する報知手段と、前記上部枠体後部に設けられ水道蛇口と給水ホースで接続して前記水槽内に給水する給水電磁弁と、前記給水電磁弁と前記給水ホースとの間に螺合接続される継手と、前記継手に内設された異物捕集用の継手フィルタと、前記継手の有無を検知する継手検知手段と、前記モータ、給水電磁弁等を制御し、洗い、すすぎ、脱水などの一連の工程を逐次制御する制御手段とを備え、前記制御手段は、運転開始時に、前記継手検知手段が前記継手を検知したときのみ、前記給水電磁弁を制御して給水工程を行う構成とすることにより、給水流路内のフィルタ部の掃除後、フィルタ部の付け忘れを抑制することができる。
【００２３】
第２の発明は、特に、第１の発明の洗濯機の前記制御手段は、運転開始時に継手検知手段が継手を検知しない場合、報知手段を制御して異常を報知することにより、使用者にフィルタを内蔵した継手の取り付け忘れについて注意喚起することができる。
【００２４】
以下、本発明の実施の形態について、図面を参照しながら説明する。なお、この実施の形態によって本発明が限定されるものではない。
（実施の形態１）
図１は，本発明の実施の形態における洗濯機の縦断面図、図２は、同洗濯機の制御システムのブロック回路図である。
【００２５】
図１は，本発明の第１の実施の形態における洗濯機の縦断面図を示すものである。
洗濯機本体１１は、内部に水槽１３をサスペンション１２により懸垂防振支持している。水槽１３の内部には、有底円筒形の洗濯兼脱水槽１５を回転自在に配設している。洗濯兼脱水槽１５は、側壁に多数の脱水孔（図示せず）を有するとともに、内周の上部に振動低減用の流体バランサ１７を有し、中央内底部には攪拌翼１８が配設されている。
【００２６】
水槽１３の背面には、伝達機構部１９が配設されている。伝達機構部１９は、内部に洗濯時の減速ギア（図示せず）および洗濯・脱水軸（図示せず）の切り換えクラッチ（図示せず）と、脱水時に洗濯兼脱水槽１５を停止するためのブレーキ（図示せず）を内蔵している。
【００２７】
モータ２０は、水槽１３の底部に取り付けられ、モータ２０の動力を洗濯・脱水軸に伝達することで、攪拌翼１８を回転させたり、攪拌翼１８と洗濯兼脱水槽１５を同時に回転させたりする。
【００２８】
洗濯機本体１１の上部略中央部には、洗濯兼脱水槽１５と外部とを連通するための洗濯物投入取出口２５を形成し、洗濯物投入取出口２５は蓋体２６にて開閉自在に覆われている。
【００２９】
洗濯機本体１１上部の前方側には、各種の入力設定を行ない、設定内容を表示する操作表示部２１を配設している。操作表示部２１の内方には、モータ２０等を制御し、洗い、すすぎ、脱水の一連の行程を逐次制御する制御手段２７を有する制御手段２７を配している。
【００３０】
洗濯機本体１１の上方には、操作表示部２１が配設されている。操作表示部２１は、運転コース等のモードや各種機能の選択、設定を行なう操作部と、設定内容などの表示を行なう表示部が配設されている。
【００３１】
また、洗濯機本体１１には、運転動作になんらかの異常があった場合に使用者に報知する報知手段３４が配設されている。
【００３２】
また、水槽１３の底部側には排水弁３１が設けられ、排水時には排水弁３１を開いて水槽１３内の水を機外へ排出する。
【００３３】
洗濯機本体１１上部の後方側の内部には、電磁力により開閉可能な給水電磁弁２００を配設している。
【００３４】
給水電磁弁２００は、継手１０１（図２参照）を介して、給水ホース１５０と接続される。水道蛇口３０より給水された水は、給水ホース１５０、継手１０１、給水電磁弁２００、及び注水ホース２９を介して水槽１３内に供給される。
【００３５】
図２は、本発明の実施の形態における洗濯機の給水ホース１５０と給水電磁弁２００との接続部の分解断面図である。
【００３６】
図２において、給水ホース１５０と給水電磁弁２００は、略円筒状の継手１０１を介して螺合接続されている。
【００３７】
給水電磁弁２００の上流側である給水口２０１の外側には、電磁弁ねじ部２０２が形成されている。また、継手１０１の下流側の内側には、第１の継手ねじ部１０３が形成されている。電磁弁ねじ部２０２と第１の継手ねじ部１０３により、給水電磁弁２００と継手１０１は螺合接続される。
【００３８】
継手１０１内には、継手パッキン６が設けられている。継手１０１と給水電磁弁２００が螺合接続された状態で、給水電磁弁２００の上端部が継手パッキン６を圧縮することにより、継手１０１からの水漏れを防止する。
【００３９】
また、給水電磁弁２００内部には、給水ホース１５０から供給される水に含まれる鉄錆等の異物が給水電磁弁２００内部に侵入するのを防止するための網目状の電磁弁フィルタ２０３と、給水された水の供給量を制御する流量制御部品２０４が配されている。
【００４０】
給水ホース１５０の下流側端部にはジョイント部１５１が設けられ、ジョイント部１５１の内側にはジョイントねじ部１５２が形成されている。また、また、継手１０１の上流側の外側には、第２の継手ねじ部５が形成されている。ジョイントねじ部１５２と第２の継手ねじ部５により、給水ホース１５０のジョイント部１５１と継手１０１は螺合接続される。
【００４１】
ジョイントねじ部１５２の上流側には、ジョイントパッキン１５３が設けられている。給水ホース１５０と継手１０１が螺合接続された状態で、継手１０１の上端部がジョイントパッキン１５３を圧縮することにより、給水ホース１５０からの水漏れを防止している。
【００４２】
また、継手１０１の内部には継手フィルタ１０４が設けられている。継手フィルタ１０４は、網目状の金属製であり、継手フィルタ１０４の外径が継手１０１の内径よりもわずかに大きく形成されているため、継手１０１の内部に挿入後は圧入状態となり外れない構造で、継手１０１と継手フィルタ１０４とが一体的になっている。
【００４３】
継手１０１の外周側には、延設リブ部７が形成されている。また、延設リブ部７を上下から挟むように継手検知手段３２が配設されている。継手検知手段３２は、洗濯機本体１
１の上面に上下伸縮自在に設けられており、フォトカプラなどの検知手段により継手１０１の有無を検知する。
【００４４】
以上のように構成された洗濯機について、以下、その動作、作用を説明する。
【００４５】
給水ホース１５０と給水電磁弁２００は、継手１０１を介さなければ接続することができない。そのため、水道から給水される水は、必ず継手１０１内の継手フィルタ１０４を通過後、給水電磁弁２００内の電磁弁フィルタ２０３を通過して、注水ホース２９から水槽１３に供給される。
【００４６】
また、継手１０１が給水ホース１５０と給水電磁弁２００との間に接続されていない状態で洗濯運転を開始すると、継手検知手段３２が継手１０１の延設リブ部７を検知しないため、表示手段にて異常であることを表示するとともに、報知手段３４により使用者に異常を報知する。報知手段３４は運転終了時などにもその旨を報知する。
【００４７】
つまり、継手フィルタ１０４がある状態での運転が保障され、水道から給水される水は、必ず継手１０１内の継手フィルタ１０４を通過後、給水電磁弁２００内の電磁弁フィルタ２０３を通過して、注水ホース２９から水槽１３に供給される。
【００４８】
給水電磁弁２００の上流側には、継手フィルタ１０４があるため、継手フィルタ１０４により水中の異物を取り除くことができる。また、継手フィルタ１０４によって取り除くことができなかった異物は、電磁弁フィルタ２０３により取り除くことができる。
【００４９】
継手１０１は着脱可能なので、継手１０１を取り外すことで、継手フィルタ１０４に付着した異物を容易に掃除することができる。
【００５０】
ここで、給水ホース１５０と給水電磁弁２００は、継手１０１を介さなければ接続することができないため、継手フィルタ１０４の掃除後、継手フィルタ１０４を付け忘れる虞を軽減することができる。そのため、給水時に鉄屑等の汚れが濾過されず、洗濯物等に汚れが付着する虞を低減することができる。
【００５１】
また、本実施の形態では、電磁力により開閉可能な給水電磁弁２００を用いた例を示したが、本発明はこれに限定されるものでなく、給水ホースからの水を水槽１３内に給水することができれば他の給水弁でもよい。
【００５２】
また、本実施の形態では、継手フィルタ１０４を継手１０１の内部に圧入することにより、継手フィルタ１０４と継手１０１を一体構成しているが、本発明はこれに限定されるものでなく、継手フィルタ１０４と継手１０１が一体構成されていれば、インサート成形など他の取り付け方法であってもよい。
【００５３】
以上のように、本実施の形態においては、運転開始時に、継手１０１の有無を検知する継手検知手段３２が継手１０１を検知した時のみ、給水電磁弁２００による給水動作を行なう構成とすることにより、水道から給水される水は、必ず継手１０１内の継手フィルタ１０４を通過することになるので、異物が確実に捕集されると共に、フィルタの付け忘れによる給水電磁弁の止水不良や動作不良を防止することができる。
【産業上の利用可能性】
【００５４】
以上のように、水道から給水される水は、必ず継手内の継手フィルタを通過することになると共に、継手は取り外し可能で、給水流路内のフィルタ部の掃除が容易で、フィルタが無い状態を防止することが可能となるので、水道から給水する構造を有する他の洗濯機
の用途に適用できる。
【符号の説明】
【００５５】
１１  洗濯機本体
１３  水槽
１５  洗濯兼脱水槽
１８  攪拌翼
２０  モータ
２１  操作表示部
２７  制御手段
３０  水道蛇口
３２  継手検知手段
３４  報知手段
１０１  継手
１０４  継手フィルタ
１５０  給水ホース
２００  給水電磁弁
【図１】
2017158674.tif 000003
【図２】
2017158674.tif 000004
【図３】
2017158674.tif 000005